(57)【特許請求の範囲】
【請求項１】
有色透明な合成樹脂により射出成形される遊技盤であって、表面を平坦に形成する一方、裏面を複数の段差状に形成することにより肉厚を部分的に変化させ、表面から視認される色の濃淡が肉厚に従って変化するようにしたことを特徴とする樹脂製遊技盤。
【請求項２】
遊技部品を取り付けるための開口が貫通状に形成され、該開口から遠ざかるに従って肉厚が次第に薄く、または、厚くなるように裏面を複数の段差状に形成したことを特徴とする請求項１に記載した樹脂製遊技盤。
【請求項３】
有色透明な合成樹脂により射出成形される遊技盤であって、表面を平坦に形成する一方、裏面をなだらかな傾斜面状に形成することにより肉厚を連続的に序々に変化させ、表面から視認される色の濃淡が肉厚に従って変化するようにしたことを特徴とする樹脂製遊技盤。
【発明の詳細な説明】
【技術分野】
【０００１】
本発明は、パチンコ、アレンジボール、雀球等の弾球遊技機の内部に設けられ、表面に遊技釘、風車、入賞口等の遊技部品が設けられていて、遊技球が該表面を流下し、遊技者がその遊技球の流下する様相を見て楽しむための樹脂製遊技盤に関するものである。
【背景技術】
【０００２】
弾球遊技機の遊技盤は、従来から一般的に木製の合板（ベニヤ）によって製作され、表面にキャラクタ等の図柄が印刷されたセル板（樹脂製薄板）を貼着したものであった。しかし近年では、合板は変形し易く製品不良が生じ易いといったこと、および、経済性或いはリサイクル性等の環境保護を考慮する観点から、下記特許文献１に示されたような合成樹脂製の遊技盤が提案されている。その遊技盤は、ガイドレールの内側に相当する遊技領域が遊技釘（障害釘）や風車等の釘部を保持し得るように肉厚に成形され、ガイドレールの外側の非遊技領域は肉薄に成形され、これにより遊技領域における釘部の保持力が高く、かつ軽量な合成樹脂製遊技盤を提供できるとするものである。
【０００３】
また、下記特許文献２に示された遊技盤は、透明な合成樹脂により成形され、その遊技領域の裏面を光が乱反射し得るようにレーザー加工等により粗面（微細な凹凸からなるシボ面）に成形し、ランプ、ＬＥＤ等の光源から該粗面に光が照射されるように該遊技盤を遊技機内に組み付け、遊技機の前面から見て該粗面が光ることで意匠的演出がなされるものである。
【先行技術文献】
【特許文献】
【０００４】
【特許文献１】特開平１０−１１３４２８号公報
【特許文献２】特開２００９−２０７８８１号公報
【発明の概要】
【発明が解決しようとする課題】
【０００５】
ところで、特許文献２に示された遊技盤は、製造する際に上記粗面をレーザー加工機等により後加工する必要があるので工数が余計に掛かるという問題がある。これに対しては射出成形金型の成形面に粗面を予め形成しておく製造方法が考えられるとしても、射出成形金型にこのような微細な凹凸面を形成すると、成形時に樹脂が熱分解することで発生したガスがその凹凸面に溜まりやすく、ガス焼けと称される製品不良が発生しやすくなるという問題がある。また、付着したガス成分を金型内に放置すると凹凸面が腐食し、当初の凹凸面が再現されなくなるおそれがあるとともに、微細な凹凸面となると、付着したガス成分を除去するためにも煩雑なメンテナンスが必要となるという問題がある。
また、特許文献２に示された遊技盤は、粗面に光を照射させない限り演出効果が得られず、光を照射させないとその遊技盤は単なる透明板に過ぎず何ら意匠的演出がなされないという問題があり、演出効果を出そうとして広範囲を光らせるにはランプ、ＬＥＤ等の光源を多数必要とし、そのため製造コストが上昇するとともに、光源の過熱による事故発生のおそれや、消費電力を増大させるという問題があった。
本発明は、このような問題点を解消し得る、樹脂製遊技盤を提供しようとするものである。
【課題を解決するための手段】
【０００６】
そのために本発明の樹脂製遊技盤は、有色透明な合成樹脂により射出成形される遊技盤であって、表面を平坦に形成する一方、裏面を複数の段差状に形成することにより肉厚を部分的に変化させ、表面から視認される色の濃淡が肉厚に従って変化するようにしたことを特徴とする。
また本発明は上記樹脂製遊技盤において、遊技部品を取り付けるための開口が貫通状に形成され、該開口から遠ざかるに従って肉厚が次第に薄く、または、厚くなるように裏面を複数の段差状に形成したことを特徴とする。
【０００７】
また本発明の樹脂製遊技盤は、有色透明な合成樹脂により射出成形される遊技盤であって、表面を平坦に形成する一方、裏面をなだらかな傾斜面状に形成することにより肉厚を連続的に序々に変化させ、表面から視認される色の濃淡が肉厚に従って変化するようにしたことを特徴とする。
【発明の効果】
【０００８】
本発明に係る樹脂製遊技盤は、射出成形による製造が容易であると共に、表面にセル板を設けたり、裏面にランプ、ＬＥＤ等の光源、或いは装飾部品を設けたりしなくても、遊技盤だけでも意匠的に面白い演出をすることができるので、コストが軽減される。
【図面の簡単な説明】
【０００９】
【図１】本発明に係る樹脂製遊技盤の正面図。
【図２】図１に示した樹脂製遊技盤のＡ−Ａ線断面図。
【図３】図１に示した樹脂製遊技盤の裏面の斜視図。
【図４】本発明に係る樹脂製遊技盤に遊技部品を取り付けた状態の正面図。
【図５】本発明に係る樹脂製遊技盤の裏面の斜視図。
【図６】図５のＢ−Ｂ線断面図。
【図７】本発明に係る樹脂製遊技盤の正面図。
【図８】図７に示した樹脂製遊技盤の裏面の斜視図。
【図９】本発明に係る樹脂製遊技盤の縦断面図。
【図１０】本発明に係る樹脂製遊技盤の縦断面図。
【発明を実施するための形態】
【００１０】
次に本発明の実施形態を図１〜図４に従い説明する。この樹脂製遊技盤１は、ポリカーボネイト樹脂、ＡＢＳ樹脂、アクリロニトリル樹脂等の合成樹脂であって、例えば青色等の有色透明な合成樹脂を所定の射出成形金型に射出成形することにより長方形板状に一体成形される。２はこの射出成形により形成された表裏貫通状の大開口で、該開口２に図示しない電子ディスプレイやセンター役物等の大型の遊技部品が取り付けられる。３は該開口２の下部に始動用可変入賞装置等の遊技部品を取り付けるために表裏貫通状に形成された開口、４は該開口２の下部に大入賞口装置等の遊技部品を取り付けるために表裏貫通状に形成された開口、５，５は該樹脂製遊技盤１の下部両側に普通入賞装置等の遊技部品を取り付けるために表裏貫通状に形成された開口、６は通過チャッカー等の遊技部品を取り付けるために表裏貫通状に形成された開口である。また、この樹脂製遊技盤１の外周縁に従来の木製の遊技盤の厚さ（約１９ｍｍ）と同じとなるように外縁リブ７が一体に形成される。
【００１１】
この樹脂製遊技盤１の表面１０はこの射出成形により平坦に形成され、この樹脂製遊技盤１の裏面１１は、図２、図３に肉厚が厚い部分から順に符号１１ａ〜１１ｆを付して示したように、肉厚を複数の段差状に変化させている。符号１１ａにて示した最も厚い部分は、前記外縁リブ７と同じ１９ｍｍ程度の厚みとし、符号１１ｆにて示した最も薄い部分は、表面から打ち込まれる遊技釘や風車の釘部等がぐらつくことなく、しっかりと固定可能なるように１０ｍｍ程度の厚みが確保されるようにしている。なお、樹脂製遊技盤１の表面１０に遊技釘や風車の釘部を挿入し固植するために設けられる釘孔は、樹脂製遊技盤１を射出成形する際に同時に形成されるようにしても、或いは、射出成形後に孔開け加工して形成してもよい。
【００１２】
図４は、この樹脂製遊技盤１にガイドレール８，８を取り付け、該ガイドレールにより囲まれていて該ガイドレールに沿って打ち込まれた遊技球を流下させる遊技領域９ａに多数の遊技釘１２、風車１３等を固植するとともに、上記各開口２〜６に上記所定の遊技部品を取り付けた状態を示す。なお、ガイドレール８の外側は遊技球を流下させない非遊技領域９ｂとなるが、非遊技領域９ｂについても遊技領域９ａと同様に遊技中の遊技者が見られるようにすることができる。この樹脂製遊技盤１のように有色透明な合成樹脂の厚さを変化させた樹脂製遊技盤１では、肉厚が厚い部分ほど表面から視認される色が自然と濃くなる。このため、最上段の符号１１ａにて示した部分が最も濃い色（この場合、深い青）になり、下方に向かい符号１１ｂから符号１１ｅに行くに従って順次色が薄くなり、最下段の符号１１ｆにて示した部分が最も薄い色（この場合、薄い青）になる。このように遊技盤１の色の濃淡が多段階に変化するため、遊技盤１に奥行きがあるように見える。そして遊技中は該遊技盤１の表面を遊技球が縦横に動き回って流下するので、広い空間を遊技球が飛び交うように見え、遊技者の視覚に訴える迫力のある演出ができる。また、遊技盤１の裏面にランプ、ＬＥＤ等の光源、或いは装飾部品等を設けなくてもこのように見えるので、遊技機の製造コストが軽減され、光源が過熱するおそれがなく節電に寄与できるととともに、従来の光源を使用した演出のように光源がチラつくことにより目が疲労するおそれがなく長時間遊技する遊技者の疲労感が軽減される。また、樹脂製遊技盤１を成形する射出成形金型に従来のようなシボ面を形成する必要がないので、成形が容易になるとともに、表面に図柄が印刷されたセル板等を貼着する必要もないので、製造コストが軽減される。
【００１３】
図５に示した実施形態は、樹脂製遊技盤１を上記実施形態と同様に有色透明な合成樹脂により成形し、符号１１ａ〜１１ｈにて示したように、遊技領域９ａに形成された開口３から遠ざかるに従って肉厚が次第に薄くなるように該樹脂製遊技盤１の遊技領域９ａの裏面を複数の段差状に形成したもので、図６に該開口３に遊技部品（始動用可変入賞装置）１４をビス１５によって取り付けた状態を断面図にて示す。１２は遊技領域９ａの表面に固植した遊技釘を示す。このとき、遊技部品１４の取付用フランジ部１４ａの色を樹脂製遊技盤１と同じ色調で濃度が最も濃い色（有色不透明）にすることで、遊技部品１４から遠ざかるに従い該樹脂製遊技盤１の遊技領域９ａの色が段階毎に次第に薄くなり、遊技部品１４が宙に浮いたように見えるといった意匠的に面白い演出をすることができる。
この実施形態では、非遊技領域９ｂが遊技者から視認されない場合を想定して樹脂製遊技盤１の全領域でなく遊技領域９ａについてだけ肉厚を変化させ、非遊技領域９ｂは一様に肉薄に形成することにより樹脂製遊技盤１が軽量化されるようにしている。そして、該非遊技領域９ｂの裏面に周囲の外縁リブ７と連なる補強リブ１６を放射状に延びるように一体に形成するとともに、該遊技盤１の四隅角部に円筒部１７を表裏貫通状に形成し、該円筒部１７は遊技機本体に対する取付孔となるようにしている。この実施形態のように遊技領域９ａの裏面だけを段差状に形成することによっても広がりのある意匠的に面白い演出することが可能である。
また、図示しないが、遊技部品１４の取付用フランジ部１４ａの色を樹脂製遊技盤１と同じ色調であって濃度を最も薄いものにするとともに、開口３から遠ざかるに従って肉厚が次第に厚くなるように裏面を複数の段差状に形成することによっては、遊技中に遊技者から視認される色が遊技部品１４から遠ざかるに従い段階毎に次第に濃くなるように見えることから、同様の面白い演出をすることができる。
【００１４】
なお、図１に示した実施形態は、樹脂製遊技盤１の肉厚が変化する境界線を横一直線状にしたが、図７、図８に示した実施形態は、該境界線を円弧状線が横方向に定ピッチで連なる波状にすることにより、海岸に打ち寄せる波がイメージされるようにしたものである。このように肉厚が変化する境界線の形状を変えることで、広い海岸の風景や、空に浮かぶ雲、或いは花びら等を連想させ、奥行きのある様々な意匠的演出をすることが可能になる。
【００１５】
また、図９、図１０は請求項３に記載した発明に係る樹脂製遊技盤１の実施形態を縦断面図で示すもので、図９に示した遊技盤は、有色透明な合成樹脂により射出成形され、表面１０を平坦に形成する一方、裏面１１はなだらかに起伏する曲面状の傾斜面に形成することにより該遊技盤１の厚さをなだらかに変化させたものである。また、図１０に示した樹脂製遊技盤１は、有色透明な合成樹脂により射出成形され、表面１０を平坦に形成する一方、裏面１１は平坦な傾斜面が屈折しつつ連続する形状に形成することにより該遊技盤１の厚さをなだらかに変化させたものである。このように、裏面１１をなだらかな傾斜面状に形成し、肉厚を連続的に序々に変化させることによっては、表面１０から視認される色の濃淡もその肉厚に従いなだらかに変化する。このように樹脂製遊技盤１の裏面１１をなだらかな傾斜面状に形成することによっても、光源を要することなく、例えば夕焼け空を思わせるような幻想的、魅惑的な演出をすることができる。
【符号の説明】
【００１６】
１        樹脂製遊技盤
２〜６    開口
７        外縁リブ
８        ガイドレール
９ａ      遊技領域
９ｂ      非遊技領域
１０      樹脂製遊技盤の表面
１１      樹脂製遊技盤の裏面
１２      遊技釘
１４      遊技部品
１４ａ    遊技部品の取付用フランジ部
１６      補強リブ
１７      円筒部
【図１】
0005770030.tif 000002
【図２】
0005770030.tif 000003
【図３】
0005770030.tif 000004
【図４】
0005770030.tif 000005
【図５】
0005770030.tif 000006
【図６】
0005770030.tif 000007
【図７】
0005770030.tif 000008
【図８】
0005770030.tif 000009
【図９】
0005770030.tif 000010
【図１０】
0005770030.tif 000011